(57)【特許請求の範囲】
【請求項１】
架台の上部に作業機と該作業機を駆動するエンジンとを備え、前記架台の下部に外部への液体の漏洩を遮断する防油堤とを備えたエンジン作業機において、前記防油堤の対向する一対の側壁の内面部と防油堤の底壁の上面部とにわたってオイル吸着シートを連続的に設け、前記一対の側壁の上部に、前記オイル吸着シートの両端部を着脱可能に止着する止着手段をそれぞれ設けるとともに、前記オイル吸着シートの両端部に、複数のオイル吸着シート同士を着脱可能に連結する連結手段を設けたことを特徴とするエンジン作業機。
【請求項２】
架台の上部に作業機と該作業機を駆動するエンジンとを備え、前記架台の下部に外部への液体の漏洩を遮断する防油堤とを備えたエンジン作業機において、前記防油堤の対向する一対の側壁の一方の側壁の上方に、長尺のオイル吸着シートを巻回したオイル吸着シートロールを配置し、該オイル吸着シートロールから繰り出したオイル吸着シートを、前記防油堤の対向する一対の側壁の内面部と防油堤の底壁の上面部とにわたって連続的に設け、他方の側壁の上部に、オイル吸着シートロールから繰り出したオイル吸着シートの先端部を着脱可能に止着する止着手段を設けたことを特徴とするエンジン作業機。
【請求項３】
前記他方の側壁の上方に、該一方の側壁の上部からオイル吸着シートを引き出して巻き取るための巻取手段を備えていることを特徴とする請求項２記載のエンジン作業機。
【発明の詳細な説明】
【技術分野】
【０００１】
本発明は、エンジンによって発電機やコンプレッサなどの作業機を駆動するエンジン作業機に係り、詳しくは、架台の下部に防油堤を備えたエンジン作業機に関する。
【背景技術】
【０００２】
建築や土木工事などの現場あるいは災害時の現場や避難所では、発電機、コンプレッサ、油圧ユニットなどの各種作業機をエンジンで駆動するエンジン作業機が稼働している。これらのエンジン作業機は、エンジンに燃料を供給するための燃料タンクを本体内に内蔵しており、長時間の無給油連続運転が必要な場合には、大容量の燃料タンクを搭載するようにしている。また、大容量の燃料タンクを搭載したものでは、燃料タンクの下方に、器物の破損などによって漏洩した燃料やエンジンオイルなどの液体が外部に流出しないように架台の下部を覆う防油堤が設けられている。
【０００３】
この防油堤として、底面に傾斜を付けて漏洩した液体の受け皿を形成し、該受け皿にオイル吸着シートを敷設して液体中の油分を吸着させ、水分のみを外部に排出するようにしたものがあった（例えば、特許文献１参照。）。
【先行技術文献】
【特許文献】
【０００４】
【特許文献１】特開２００８−１６３８３４号公報
【発明の概要】
【発明が解決しようとする課題】
【０００５】
しかし、上述の特許文献のものでは、防油堤の底面の構造が複雑になってコストが嵩むと共に、油漏れもし易いという問題があった。
【０００６】
そこで本発明は、複雑な構造を有することなく、防油堤内に溜まった油分を回収することができ、外部への油分の流出を防止できるエンジン作業機を提供することを目的としている。
【課題を解決するための手段】
【０００７】
上記目的を達成するため、本発明のエンジン作業機は、架台の上部に作業機と該作業機を駆動するエンジンとを備え、前記架台の下部に外部への液体の漏洩を遮断する防油堤を備えたエンジン作業機において、前記防油堤の対向する一対の側壁の内面部と防油堤の底壁の上面部とにわたってオイル吸着シートを連続的に設け、前記一対の側壁の上部に、前記オイル吸着シートの両端部を着脱可能に止着する止着手段をそれぞれ設けるとともに、前記オイル吸着シートの両端部に、複数のオイル吸着シート同士を着脱可能に連結する連結手段を設けたことを特徴としている。
【０００８】
また、架台の上部に作業機と該作業機を駆動するエンジンとを備え、前記架台の下部に外部への液体の漏洩を遮断する防油堤を備えたエンジン作業機において、前記防油堤の対向する一対の側壁の一方の側壁の上方に、長尺のオイル吸着シートを巻回したオイル吸着シートロールを配置し、該オイル吸着シートロールから繰り出したオイル吸着シートを、前記防油堤の対向する一対の側壁の内面部と防油堤の底壁の上面部とにわたって連続的に設け、他方の側壁の上部に、オイル吸着シートロールから繰り出したオイル吸着シートの先端部を着脱可能に止着する止着手段を設けたことを特徴とし、さらに、前記他方の側壁の上方に、該他方の側壁の上部からオイル吸着シートを引き出して巻き取るための巻取手段を設けることもできる。
【発明の効果】
【０００９】
本発明のエンジン作業機によれば、防油堤内に溜まった液体に油分が混在していても、オイル吸着シートに油分を吸着させて水のみを外部に排出することができ、防油堤内に溜まった油分を簡単かつ確実に回収することができる。さらに、複数のオイル吸着シート同士を連結部で連結したり、長尺のオイル吸着シートを巻回したオイル吸着シートロールを配置したりしておくことにより、使用中のオイル吸着シートを未使用のオイル吸着シートに簡単に交換することができる。
【図面の簡単な説明】
【００１０】
【図１】本発明の第１形態例を示すエンジン作業機の一部断面正面図である。
【図２】同じく要部断面図である。
【図３】同じく防油堤の断面正面図である。
【図４】同じく要部平面図である。
【図５】図４のV-V断面図である。
【図６】他の形態例の要部断面図である。
【図７】本発明の第２形態例を示す防油堤の断面図である。
【図８】本発明の第３形態例を示す防油堤の断面図である。
【発明を実施するための形態】
【００１１】
図１は本発明のエンジン作業機の一形態例を示す図である。本形態例のエンジン作業機１１は、ディーゼルエンジンによって発電機を駆動する可搬式のエンジン発電機であって、防音構造を有するケーシング１２の下部に設けられた架台１３上に前記ディーゼルエンジンや発電機を配置するとともに、架台１３の下方に大容量の燃料タンク１４とオイル吸着シート１５と備えた防油堤１６を配置している。
【００１２】
防油堤１６は、底壁１６ａ及び四方の側壁１６ｂによって底部及び四周を密閉したもので、前記燃料タンク１４を囲むようにして設けられている。燃料タンク１４は、支持脚によって支持され、燃料タンク１４と架台１３の底壁１６ａとの間には隙間が形成されている。また、防油堤１６の対向する一対の側壁１６ｂ，１６ｂの上方に配置される架台１３の上面には、オイル吸着シート１５の両端部を着脱可能に止着するための雄ねじ部材１７がそれぞれ突設されている。
【００１３】
オイル吸着シート１５は、周知のもので、例えば、ポリエチレン繊維やポリプロピレン繊維などで形成されたマット状の不織布で形成されたシートで、水を吸うことなく、油のみを吸着すると共に、焼却することができ、燃焼時に有害ガスを排出しないものが使用される。このオイル吸着シート１５は、幅寸法が燃料タンク１４の支持脚の間隔に対応した寸法で、防油堤１６の対向する一対の側壁１６ｂ，１６ｂの内面部と底壁１６ａの上面部とにわたって連続的に設けることができる長さ寸法を備え、長さ方向両端部には、前記雄ねじ部材１７に挿通可能な通孔１５ａがそれぞれ設けられている。
【００１４】
このオイル吸着シート１５は、図１及び図２に示すように、一方の端部の通孔１５ａを一方の側壁１６ｂの上方に設けられた雄ねじ部材１７に、他方の端部の通孔１５ａを他方の側壁１６ｂの上方に設けられた雄ねじ部材１７にそれぞれ挿通し、ナット部材１８をそれぞれ螺着することにより、防油堤１６の対向する一対の側壁１６ｂ，１６ｂの内面部と、底壁１６ａの上面部とを覆う状態で防油堤１６内に配置され、底壁１６ａに敷設されたオイル吸着シート１５の上部に燃料タンク１４が位置した状態になる。
【００１５】
オイル吸着シート１５を交換する際には、図３乃至図５に示すように、ナット部材１８を取り外し、雄ねじ部材１７から抜き取った、使用中のオイル吸着シート１５の一端部の通孔１５ａと、未使用のオイル吸着シート１５の一端部に形成した通孔１５ａとに、連結手段となるリング部材１９をそれぞれ挿通し、使用中のオイル吸着シート１５と未使用のオイル吸着シート１５とをリング部材１９により連結する。そして、図３に示すように、使用中のオイル吸着シート１５の他端部を、防油堤１６の外方（矢印Ａ方向）へ引っ張り出すことにより、使用中のオイル吸着シート１５を防油堤１６の内部から引き出すと同時に、未使用のオイル吸着シート１５を防油堤１６内に引き込むことができる。引き出した使用後のオイル吸着シート１５は、所定の手順で回収して焼却処分すればよい。また、交換した未使用のオイル吸着シート１５は、各通孔１５ａを前記雄ねじ部材１７に挿通してナット部材１８を螺着することにより、防油堤１６内の所定の位置に配置することができる。このように、リング部材１９により２枚のオイル吸着シート１５を連結することにより、オイル吸着シート１５の交換を容易に行うことができる。
【００１６】
上述のように形成されたエンジン作業機によれば、防油堤１６内に雨水などが溜まった際に油分が混在することがあっても、オイル吸着シート１５に油分を吸着させ、ドレンから水のみを排出させることができる。また、オイル吸着シート１５を交換し、回収したオイル吸着シート１５を焼却することにより、油分を確実に回収処理することができる。さらに、オイル吸着シート１５を交換する際には、リング部材１９によって使用中のオイル吸着シート１５の一端部と未使用のオイル吸着シート１５の一端部とを連結し、使用中のオイル吸着シート１５の他端部を防油堤１６の外方へ引き出すことにより、新品で未使用のオイル吸着シート１５を防油堤１６内の所定の位置に配置できることから、オイル吸着シート１５を簡単に未使用品に交換することができる。
【００１７】
尚、オイル吸着シート１５の止着手段は任意であり、例えば、図６に示すように、防油堤１６の両側壁上方にパイプ材２０を突設し、該パイプ材２０にオイル吸着シート１５の通孔１５ａを挿通させることもできる。また、交換するオイル吸着シート１５と、新品のオイル吸着シート１５との連結手段も任意であり、交換するオイル吸着シート１５の通孔１５ａと、新品のオイル吸着シート１５の通孔１５ａとに紐を挿通して連結するなどでも良い。さらに、オイル吸着シート１５に通孔を設けずに、クリップなどでオイル吸着シート１５の端部を挟んで止着したり、連結したりすることもできる。
【００１８】
図７及び図８は、本発明の他の形態例を示すもので、第１形態例と同様の構成要素を示すものには、同一の符号を付して、その詳細な説明は省略する。
【００１９】
図７は、本発明の第２形態例を示し、本形態例では、防油堤１６の一方の側壁上部の架台１３に、長尺のオイル吸着シート１５を巻回したオイル吸着シートロール２１を配置し、該ロール２１からオイル吸着シート１５を繰り出して一対の側壁１６ｂ，１６ｂの内面部と底壁１６ａの上面部とに配置し、オイル吸着シート１５の先端部に設けた通孔１５ａを他方の側壁に突設した前記パイプ材２０に挿通してオイル吸着シート１５の先端を止着するようにしている。
【００２０】
オイル吸着シート１５を未使用のものに交換する際には、オイル吸着シート１５の他端部に形成した通孔１５ａをパイプ材２０から外し、他端部を防油堤１６の外方へ所定長さ引っ張り出すことにより、オイル吸着シートロール２１から繰り出した未使用のオイル吸着シート１５を防油堤１６の内部に引き込むことができる。その後、使用済みのオイル吸着シート１５を切断して回収し、未使用のオイル吸着シート１５の先端部に通孔１５ａを穿設してパイプ材２０に挿通することにより、未使用のオイル吸着シート１５を防油堤１６内の所定の位置に配置できる。本形態例では、適当な長さのオイル吸着シートロール２１を使用することにより、連結手段の着脱を行わずにオイル吸着シート１５の交換を容易に行うことができ、オイル吸着シート１５を１枚ずつ保管する手間も省ける。
【００２１】
図８は、本発明の第３形態例を示し、上述の第２形態例に加え、他方の側壁上部の架台１３に、使用済みのオイル吸着シートを防油堤１６内から引き出して巻き取るためのロール２２を設け、オイル吸着シートロール２１から繰り出されて一対の側壁１６ｂ，１６ｂの内面部と底壁１６ａの上面部とに配置したオイル吸着シート１５の先端をロール２２に止着している。これにより、オイル吸着シート１５の交換は、前記ロール２２を回転させるだけで行うことができ、オイル吸着シート１５をさらに簡単に交換することができるとともに、使用済みのオイル吸着シート１５の回収もロール単位で行うことができ、オイル吸着シート１５の交換と回収とを効率よく行うことができる。なお、オイル吸着シートロール２１やロール２２には、適宜な回り止めを設けておくことが好ましい。
【符号の説明】
【００２２】
１１…エンジン作業機、１２…ケーシング、１３…架台、１４…燃料タンク、１５…オイル吸着シート、１５ａ…通孔、１６…防油堤、１６ａ…底壁、１６ｂ…側壁、１７…雄ねじ部材、１８…ナット部材、１９…リング部材、２０…パイプ材、２１…オイル吸着シートロール、２２…ロール
【図１】
0005489879.tif 000002
【図２】
0005489879.tif 000003
【図３】
0005489879.tif 000004
【図４】
0005489879.tif 000005
【図５】
0005489879.tif 000006
【図６】
0005489879.tif 000007
【図７】
0005489879.tif 000008
【図８】
0005489879.tif 000009